(57)【要約】      （修正有）【課題】紙送りしてスキャンする時に用紙の平らさを保つ給紙構造を提供する。【解決手段】用紙進入部１と、光スキャナー２と、用紙排出部３とを有し、ペーパースキャナーに設けられる給紙構造である。用紙進入部は、用紙ピックアップローラー、用紙分離ローラー、２つの用紙進入ローラー、及び２つの用紙進入アイドラーからなる。用紙分離ローラーは、用紙ピックアップローラーの上方に設けられ、用紙進入ローラーは、用紙ピックアップローラーと左右方向において重ならないように、用紙ピックアップローラーの軸と平行な後方の軸にそれぞれ左右均等に設けられる。各用紙進入アイドラーは、各用紙進入ローラーと非平行に各用紙進入ローラーの上方に設けられ、各用紙進入ローラーとの間に角度を有する傾斜状態となる。傾斜状態となる用紙進入アイドラーにより、外側に開く力を用紙に与え、用紙の平らさを保ち、用紙をシワがない状態で光スキャナーに送ることができる。【選択図】図１
0003230617.tif 000002
【実用新案登録請求の範囲】
【請求項１】
用紙進入部と、光スキャナーと、用紙排出部とを有する、ペーパースキャナーに設けられる給紙構造であって、
前記用紙進入部は、用紙ピックアップローラー、用紙分離ローラー、２つの用紙進入ローラー、及び２つの用紙進入アイドラーからなり、
前記用紙分離ローラーは、前記用紙ピックアップローラーの上方に設けられ、
前記２つの用紙進入ローラーは、前記用紙ピックアップローラーと左右方向において重ならないように、前記用紙ピックアップローラーの軸と平行な後方の軸に左右均等に設けられ、かつ、それぞれ前記用紙ピックアップローラーの軸と異なる軸に位置し、
各前記用紙進入アイドラーは、各前記用紙進入ローラーと非平行に各前記用紙進入ローラーの上方に設けられ、かつ、各前記用紙進入ローラーとの間に角度を有する傾斜状態を呈しており、
前記光スキャナーは、前記用紙ピックアップローラー及び前記用紙進入アイドラーの後方に設けられ、
前記用紙排出部は、前記光スキャナーの後方に設けられる、
ことを特徴とする、給紙構造
【請求項２】
前記２つの用紙進入アイドラーは、左右一対に設けられ、
左の前記用紙進入アイドラーは、時計回りで１度を超えるように設けられ、右の前記用紙進入アイドラーは、反時計回りで１度を超えるように設けられることで、前記２つの用紙進入アイドラーは逆ハの字の傾斜状態となる、
ことを特徴とする、請求項１に記載の給紙構造。
【請求項３】
前記用紙排出部は、少なくとも２つの用紙排出ローラーと、少なくとも２つの用紙排出アイドラーとを有し、
各前記用紙排出アイドラーは、各前記用紙排出ローラーの上方に設けられ、
前記用紙排出アイドラーの数は、前記用紙排出ローラーに対応して設定される、
ことを特徴とする、請求項１に記載の給紙構造。
【考案の詳細な説明】
【技術分野】
【０００１】
本考案は、給紙構造に関し、特に、紙送りしてスキャンする時に用紙の平らさを保つことができる給紙構造に関する。
【背景技術】
【０００２】
図４に示す従来の給紙構造１００’は、用紙進入部１’と光スキャナー２’とを有する。前記用紙進入部１’は、用紙ピックアップローラー１１’、用紙分離ローラー１２’、２つの用紙進入ローラー１３’、及び２つの用紙進入アイドラー１４’を有する。前記用紙分離ローラー１２’は、前記用紙ピックアップローラー１１’の上方に設けられる。２つの前記用紙進入ローラー１３’は、前記用紙ピックアップローラー１１’と左右方向において重ならないように、前記用紙ピックアップローラー１１’の軸と平行な後方の軸に左右均等に設けられ、かつ、それぞれ前記用紙ピックアップローラー１１’の軸と異なる軸に位置する。各前記用紙進入アイドラー１４’は、各前記用紙進入ローラー１３’と平行に各前記用紙進入ローラー１３’の上方に設けられる。前記光スキャナー２’は、前記用紙ピックアップローラー１１’及び前記用紙進入アイドラー１４’の後方に設けられる。
【０００３】
しかしながら、従来の給紙構造１００’を有するペーパースキャナーを使用する時に、用紙を給紙構造１００’の用紙進入部１’に置くと、用紙ピックアップローラー１１’が回転し、用紙をペーパースキャナーに送り、かつ、用紙分離ローラー１２’によって複数の用紙が同時に用紙進入部に入ることを回避する。その場合、用紙には、用紙ピックアップローラー１１’の影響を受けることによるその２辺から用紙ピックアップローラー１１’の力の作用箇所に向かう内向きの力が生じる。用紙は、用紙ピックアップローラー１１’を通って用紙進入ローラー１３’と接触し、用紙進入ローラー１３’によって光スキャナー２’に送られる。その場合、用紙ピックアップローラー１１’及び用紙進入ローラー１３’は、同時に用紙に力を作用し、そして、前記用紙ピックアップローラー１１’による内向きの力が、用紙ピックアップローラー１１’との間に位置差のある用紙進入ローラー１３’の作用力の影響を受けることで、用紙に高さが不揃いなシワが生じる。このシワにより、光スキャナー２’で用紙をスキャンする時に影が生じ、スキャンした画像がはっきりしなくなる。
【０００４】
そのため、紙送りしてスキャンする時に用紙の平らさを保つ給紙構造が求められている。
【考案の概要】
【考案が解決しようとする課題】
【０００５】
本考案は、紙送りしてスキャンする時に用紙の平らさを保つ給紙構造を提供することを目的とするものである。
【課題を解決するための手段】
【０００６】
上記の目的を実現するために、本考案は、用紙進入部と、光スキャナーと、用紙排出部とを有し、ペーパースキャナーに設けられる給紙構造が開示されている。前記用紙進入部は、用紙ピックアップローラー、用紙分離ローラー、２つの用紙進入ローラー、及び２つの用紙進入アイドラーからなり、前記用紙分離ローラーは、前記用紙ピックアップローラーの上方に設けられ、２つの前記用紙進入ローラーは、前記用紙ピックアップローラーと左右方向において重ならないように、前記用紙ピックアップローラーの軸と平行な後方の軸に左右均等に設けられ、かつ、それぞれ前記用紙ピックアップローラーの軸と異なる軸に位置し、各前記用紙進入アイドラーは、各前記用紙進入ローラーと非平行に各前記用紙進入ローラーの上方に設けられ、かつ、各前記用紙進入ローラーとの間になす角を有する傾斜状態となる。
【考案の効果】
【０００７】
上記のように、本考案の給紙構造は、傾斜状態となる用紙進入アイドラーにより、外側に開く力を用紙に与え、用紙の平らさを保ち、用紙をシワがない状態で光スキャナーに送ることができる。
【図面の簡単な説明】
【０００８】
【図１】本考案の給紙構造の斜視図である。
【図２】本考案の給紙構造の分解斜視図である。
【図３】本考案の給紙構造の平面図である。
【図４】従来技術の給紙構造の平面図である。
【考案を実施するための形態】
【０００９】
以下、実施例及び図面を参照しながら、本考案の技術、特徴、目的及び効果について詳しく説明する。
【００１０】
図１に示すように、本考案の給紙構造１００は、用紙進入部１と、光スキャナー２と、用紙排出部３とを有し、ペーパースキャナーに設けられる。
【００１１】
図２及び図３に示すように、用紙進入部１は、用紙ピックアップローラー１１、用紙分離ローラー１２、２つの用紙進入ローラー１３、及び２つの用紙進入アイドラー１４を有する。用紙分離ローラー１２は、用紙ピックアップローラー１１の上方に設けられる。２つの用紙進入ローラー１３は、用紙ピックアップローラー１１と左右方向において重ならないように、用紙ピックアップローラー１１の軸と平行な後方の軸に左右均等に設けられ、かつ、それぞれ用紙ピックアップローラー１１の軸と異なる軸に位置する。各用紙進入アイドラー１４は、各用紙進入ローラー１３と非平行に各用紙進入ローラー１３の上方に設けられ、かつ、各用紙進入ローラー１３との間に角度を有する傾斜状態を呈している。具体的に、図３に示すように、上から前記傾斜状態を見た場合、左の用紙進入アイドラー１４が時計回りで１度を超えるように設けられ、右の用紙進入アイドラー１４が反時計回りで１度を超えるように設けられる。前記２つの用紙進入アイドラーは左右一対に設けられ、図３において上から見た場合に逆ハの字の傾斜状態を呈している。
【００１２】
光スキャナー２は、用紙ピックアップローラー１１及び用紙進入アイドラー１４の後方に設けられ、用紙をスキャンするために用いられる。
【００１３】
用紙排出部３は、光スキャナー２の後方に設けられ、少なくとも２つの用紙排出ローラー３１と、少なくとも２つの用紙排出アイドラー３２とを有する。各用紙排出アイドラー３２は、各用紙排出ローラー３１の上方に設けられる。用紙排出アイドラー３２の数は、用紙排出ローラー３１に対応して設定される。
【００１４】
本考案の給紙構造１００を有するペーパースキャナーを使用する時に、用紙を本考案の給紙構造１００の用紙進入部１に置くと、用紙ピックアップローラー１１が回転し、用紙をペーパースキャナーに送り、かつ、用紙分離ローラー１２によって複数の用紙が同時に用紙進入部に入ることを回避する。この場合、用紙には、用紙ピックアップローラー１１の影響を受けることによる、その２辺（用紙の左右端）から用紙ピックアップローラー１１の力の作用箇所に向かう内向きの力が生じる。用紙は、用紙ピックアップローラー１１を通って用紙進入ローラー１３と接触し、用紙進入ローラー１３によって光スキャナー２に送られる。この場合、用紙ピックアップローラー１１及び用紙進入ローラー１３は、同時に用紙に力が作用し、そして、前記用紙ピックアップローラー１１による内向きの力が、用紙ピックアップローラー１１との間に位置差のある用紙進入ローラー１３の作用力の影響を受けることで、用紙にシワが生じる。ここで、傾斜状態を呈している用紙進入アイドラー１４により、外側に開く力を用紙に与え、前記内向きの力を除去し、用紙の平らさを保ち、用紙をシワがない状態で光スキャナー２に送ることができる。用紙は、光スキャナー２から出てから、用紙排出ローラー３１と接触し、用紙排出ローラー３１によって続けて外に送られる。用紙排出アイドラー３２によれば、用紙を用紙排出ローラー３１によって外に送る途中に、用紙の平らさを保つことができる。最後に、用紙が用紙排出部３によってペーパースキャナーから完全に離れると、前記用紙スキャン作業が完了する。
【００１５】
上記のように、本考案の給紙構造１００は、傾斜状態となる用紙進入アイドラー１４により、外側に開く力を用紙に与え、用紙の平らさを保ち、用紙をシワがない状態で光スキャナー２に送ることができる。
【符号の説明】
【００１６】
１００  給紙構造
１  用紙進入部
１１  用紙ピックアップローラー
１２  用紙分離ローラー
１３  用紙進入ローラー
１４  用紙進入アイドラー
２  光スキャナー
３  用紙排出部
３１  用紙排出ローラー
３２  用紙排出アイドラー
【図１】
0003230617.tif 000003
【図２】
0003230617.tif 000004
【図３】
0003230617.tif 000005
【図４】
0003230617.tif 000006